(57)【要約】【課題】老人、身障者、手に震えのあるものでも据え置き台から簡単に手で掴め、簡単な方法で、確実に振り掛け作業を行うことのできる振り掛け容器を提供する。【解決手段】一端が封止されて、他端に平面をなす底部を有し、柱状をなす容器外筒と、この外筒の底部に一体的に連接する内筒とを有する容器本体をもち、この内筒は、柱状をなし、その少なくとも頂部には、開口が設けられており、前記外筒と前記内筒との間の空間に調味料類を収納し、上下に揺すって調味料類を振り掛けられるように構成して振りかけ容器を構成する。 【選択図】図１
2009279282.tif 000002
【特許請求の範囲】
【請求項１】
一端が封止されて、他端に平面をなす底部を有し、柱状をなす容器外筒と、
この外筒の底部に一体的に連接する内筒とを有する容器本体をもち、
この内筒は、柱状をなし、その少なくとも頂部には、開口が設けられており、
前記外筒と前記内筒との間の空間に調味料類を収納し、
上下に揺すって調味料類を振り掛けられるように構成したことを特徴とする振りかけ容器。
【請求項２】
さらに、前記容器本体の前記外筒の底面を載置でき、しかも前記内筒と嵌め合わせ可能な凸部を有する据え置き台を有する請求項１の振り掛け容器。
【請求項３】
前記容器本体の内筒には、前記頂部に加えて、前記内筒の頂部付近の周面には、さらに１個以上の開口が設けられている請求項１または２の振り掛け容器。
【請求項４】
前記１個以上の開口は、開口方向が互いに同一の線を構成しない請求項３の振りかけ容器。
【請求項５】
前記外筒には、その頂部の内壁面が、前記内筒の頂部の開口と対抗する凸部が形成されている請求項１〜３のいずれかの振り掛け容器。
【請求項６】
請求項１〜５の振り掛け容器本体を用いてこれを上下動させて食品内容物を振り掛ける掛け容器の使用方法。
【請求項７】
使用後に、容器本体を前記据え置き台に載置して収納する請求項７の振り掛け容器の使用方法。 
【発明の詳細な説明】
【技術分野】
【０００１】
本発明は、塩、挽き胡椒、砂糖、化学調味料等を振り掛けるための振り掛け容器とその使用方法に関する。
【背景技術】
【０００２】
食卓用として、塩、胡椒、砂糖、化学調味料等を振り掛ける容器は、古来から種々のものがある。
しかしながら、古来からの振り掛け容器は、老人、身障者、手に震えのあるもの等には、使い勝手が悪かった。
【発明の開示】
【発明が解決しようとする課題】
【０００３】
本発明の課題は、老人、身障者、手に震えのあるものでも据え置き台から簡単に手で掴め、簡単な方法で、確実に振り掛け作業を行うことのできる振り掛け容器と、それを用いた振り掛け方法を提供することにある。
【課題を解決するための手段】
【０００４】
本発明では、一端が封止されて、他端に平面をなす底部を有し、柱状をなす容器外筒と、
この外筒の底部に一体的に連接する内筒とを有する容器本体をもち、この内筒は、柱状をなし、その少なくとも頂部には、開口が設けられており、前記外筒と前記内筒との間の空間に調味料類を収納し、上下に揺すって調味料類を振り掛けられるように構成したことを特徴とする振りかけ容器を構成する。
さらに、前記容器本体の前記外筒の底面を載置でき、しかも前記内筒と嵌め合わせ可能な凸部を有する据え置き台を有することが好ましい。
そして、前記容器本体の内筒には、前記頂部に加えて、前記内筒の頂部付近の周面には、さらに１個以上の開口が設けられていることが好ましい。
そして、前記１個以上の開口は、開口方向が互いに同一の線を構成しないことが好ましい。
また、前記外筒には、その頂部の内壁面が、前記内筒の頂部の開口と対抗する凸部が形成されていることが好ましい。
これらの場合、振り掛け容器を用いてこれを上下動させて食品内容物を振り掛ける使用方法も好ましい。
この際、使用後に、容器本体を前記据え置き台に載置して収納することも好ましい。 
【発明の効果】
【０００５】
本発明では、老人、身障者、或いは、手に震えが生じるものでも、据え置き台から、容易、確実且つ簡単に、手で掴むことができる。しかも、一旦、手で掴んだら、振り掛け作業は、手を上下動するだけであり、例え手が震えるようなもので振り掛け作業に失敗はない
【発明を実施するための最良の形態】
【０００６】
本発明を図１に〜図４に示される実施例によって詳細に説明する。
図１に、示されるように、本発明の振り掛け容器１は、全体が柱状をなし、外筒１５とこれに一体的に連結した内筒１１とを有する。この場合、外筒は、図示の例では、紡錘状の形体をなし、一端が封止されており、他端は、平面状をなして底面を構成する。底面を平面としたのは、後に詳述する据え置き台２への載置安定性を確保するためである。なお、外筒１５の外壁面には、リブや溝等の公知の滑り止め構造を設けてもよい。また、容器本体１の外筒１５は、図示はしないが、２つに分割できるように、ねじ込み蓋構造を取っていることが好ましい。
このような外筒１５の底面には、それと一体的に連接して、内筒が設けられる。内筒１１は、内部に空間を有する柱状、図示の例では、円筒状をなし、  その外壁と内壁を貫通して、開口１２１が形成される。この開口１２１は、少なくとも一つ設けられればよく、図１およびそのＩＩＩ−ＩＩＩ線断面図である図３に示される例のように、円柱頂部に設けられる。また、図１およびそのＩＶ−ＩＶ線断面図である図４に示されるように、開口１２３，１２５、１２７が互いに開口方向が同一線上にないような異なる３箇所に設けられている。このことにとって、食品内容物粉体の散布（振り掛け）の効率が向上する。
そして、この内筒の頂部にの設けられて開口１２１に対向するように、外筒１５の頂部の内壁は、凸部１５５として形成されており、図２に示されるように、内容物粉体の飛散の効率を向上させている。
さらに、本発明では、このような容器本体１を据え置くための据え置き台２を有する。この据え置き台２は、容器本体１の外筒１５の底面を安定に載置できるように、平面の台座２５を有している。そして、図１に示されるように、台座２は、表面中央部に、凸部２５を有し、容器本体１の内筒１１の内壁面と当接して、緩い嵌合状態ができるような構成とされている。
このような場合、容器本体１の外筒１５は長さ４〜８ｃｍ程度、幅（径）２〜５ｃｍ程度、開口１２１〜１２７の径は２〜５ｍｍ程度とする。また、容器本体１および据え置き台２は、平面形状としたが、この他、四角形形状等として、容器の収納性を高めても良い。
さらに、底面は、透明、或いは半透明のプラスティック製として、内容物を視認できるようにすることもできる。或いは、底部を磁石としたり、磁石を貼り付けて据え置きの安定性を高めることもできる。
【０００７】
このような本発明の振り掛け容器１は、以下のように、使用される。
まず、容器本体１の２分割の蓋構造（図示せず）を開けて、内部空間に、食品内容物を収納する。そして、蓋を閉じ、容器本体１を据え置き台に載置する。食品の使用者は、容器本体を手で掴み、上下に、図示矢印方向Ａに上下動させる。そうすると、食品内容物の粉体ｐは、上下動により、飛散し、開口１２１，１２３，１２５、１２７から飛び出して、下方にある目的のものに降り掛かることになる。
【図面の簡単な説明】
【０００８】
【図１】本発明の振り掛け容器の一例を示す断面図である。
【図２】本発明の振り掛け容器の使用状態の一例を示す断面図である。
【図３】図１のＩＩＩ−ＩＩＩ線部分断面図である。
【図４】図１のＩＶ−ＩＶ線部分断面図である。
【符号の説明】
【０００９】
１  振掛け容器、容器本体
１５外筒
１１  内筒
１２１、１２３、１２５、１２７  開口
２  据え置台
【図１】
2009279282.tif 000003
【図２】
2009279282.tif 000004
【図３】
2009279282.tif 000005
【図４】
2009279282.tif 000006